(57)【要約】【課題】自動的に記録すべき画面データを適正な記録タイミングで収集でき、時間的な傾向が必要となる画面データも収集できるプラント監視装置を提供することである。【解決手段】記録タイミング制御手段２０はプロセス状態に基づいて記録タイミング情報記憶部１８に格納された記録タイミング条件が成立しと判定した場合に記録対象の画面の表示要求を画面表示制御手段１５に行う。画面表示制御手段１５は、入力点情報記憶部１３に記憶されたプロセス状態を画面情報記憶部１４に保存されたプラント監視のための画面データと共に画面として表示装置１６に表示し、ハードコピー装置１９に印刷要求する。また、入力装置１７からの要求により表示装置１６に表示された画面をイメージデータに変換し、その画面のイメージデータを保存して電子データとして活用する。【選択図】  図１
2004199444.tif 000002
【特許請求の範囲】
【請求項１】
プラントのプロセス状態をプロセス入力手段を介して入力し保存する入力点情報記憶部と、プラント監視のための画面データを保存する画面情報記憶部と、前記入力点情報記憶部に記憶されたプロセス状態を前記画面情報記憶部に記憶された画面データと共に画面として表示装置に表示する画面表示制御手段と、記録対象の画面の記録タイミング条件が格納された記録タイミング情報記憶部と、前記プロセス状態に基づいて前記記録タイミング情報記憶部に格納された記録タイミング条件が成立したか否かを判定し記録タイミング条件が成立した場合に記録対象の画面の前記表示装置への表示要求を前記画面表示制御手段に行うと共にハードコピー装置に印刷要求する記録タイミング制御手段とを備えたことを特徴とするプラント監視装置。
【請求項２】
プラントのプロセス状態をプロセス入力手段を介して入力し保存する入力点情報記憶部と、プラント監視のための画面データを保存する画面情報記憶部と、前記入力点情報記憶部に記憶されたプロセス状態を前記画面情報記憶部に記憶された画面データと共に画面として表示装置に表示する画面表示制御手段と、入力装置からの要求により前記表示装置に表示された画面をイメージデータに変換するイメージデータ制御手段と、前記イメージデータ制御手段で変換された画面のイメージデータを保存するイメージデータ記録部とを備えたことを特徴とするプラント監視装置。
【請求項３】
前記イメージデータ記録部に保存されたイメージデータを外部記憶装置へ出力するイメージデータ出力手段を備えたことを特徴とする請求項２記載のプラント監視装置。
【請求項４】
プラントのプロセス状態をプロセス入力手段を介して入力し保存する入力点情報記憶部と、プラント監視のための画面データを保存する画面情報記憶部と、前記入力点情報記憶部に記憶されたプロセス状態を前記画面情報記憶部に記憶された画面データと共に画面として表示装置に表示する画面表示制御手段と、記録対象の画面の記録タイミング条件が格納された記録タイミング情報記憶部と、前記プロセス状態に基づいて前記記録タイミング情報記憶部に格納された記録タイミング条件が成立したか否かを判定し記録タイミング条件が成立した場合に記録対象の画面の前記表示装置への表示要求を前記画面表示制御手段に行うと共にハードコピー装置に印刷要求する記録タイミング制御手段と、入力装置からの要求により前記表示装置に表示された画面をイメージデータに変換するイメージデータ制御手段と、前記イメージデータ制御手段で変換された画面のイメージデータを保存するイメージデータ記録部と、前記イメージデータ記録部に保存されたイメージデータを外部記憶装置へ出力するイメージデータ出力手段とを備えたことを特徴とするプラント監視装置。
【請求項５】
入力装置からの前記表示装置に表示されている画面の記録開始要求から記録終了要求までの期間、前記表示装置に表示されている画面を動画イメージに変換し前記イメージデータ記録部に保存する動画データ変換手段を備えたことを特徴とする請求項３記載のプラント監視装置。
【請求項６】
記録対象の画面の記録開始タイミング条件及び記録終了タイミング条件が格納された記録タイミング情報記憶部と、前記プロセス状態に基づいて前記記録タイミング情報記憶部に格納された記録開始タイミング条件及び記録終了タイミング条件が成立したか否かを判定し記録開始タイミング条件が成立した場合に記録対象の画面の前記表示装置への表示要求を前記画面表示制御手段に出力し、記録終了タイミング条件が成立した場合には記録対象の画面の前記表示装置からの消去要求を前記画面表示制御手段に出力する記録タイミング制御手段とを備え、前記動画データ変換手段は前記記録開始タイミング条件の成立から前記記録終了タイミング条件の成立まで前記表示装置に表示されている画面を動画イメージに変換し前記イメージデータ記録部に保存することを特徴とする請求項５記載のプラント監視装置。
【請求項７】
記録対象の画面の記録開始タイミング条件及び所定の記録時間が格納された記録タイミング情報記憶部と、前記プロセス状態に基づいて前記記録タイミング情報記憶部に格納された記録開始タイミング条件が成立したか否かを判定し記録開始タイミング条件が成立した場合に記録対象の画面の前記表示装置への表示要求を前記画面表示制御手段に出力し、表示要求の時点から前記記録時間の経過時に記録対象の画面の前記表示装置からの消去要求を前記画面表示制御手段に出力する記録タイミング制御手段とを備え、前記動画データ変換手段は前記記録開始タイミング条件の成立から前記記録時間の経過時まで前記表示装置に表示されている画面を動画イメージに変換し前記イメージデータ記録部に保存することを特徴とする請求項５記載のプラント監視装置。
【請求項８】
記録対象の画面の記録開始タイミング条件及び所定の記録容量が格納された記録タイミング情報記憶部と、前記プロセス状態に基づいて前記記録タイミング情報記憶部に格納された記録開始タイミング条件が成立したか否かを判定し記録開始タイミング条件が成立した場合に記録対象の画面の前記表示装置への表示要求を前記画面表示制御手段に出力し、表示要求の時点から記録データの容量が前記記録容量を超過した時に記録対象の画面の前記表示装置からの消去要求を前記画面表示制御手段に出力する記録タイミング制御手段とを備え、前記動画データ変換手段は前記記録開始タイミング条件の成立から前記記録容量の超過時まで前記表示装置に表示されている画面を動画イメージに変換し前記イメージデータ記録部に保存することを特徴とする請求項５記載のプラント監視装置。
【請求項９】
記録対象の画面の記録開始時刻及び記録終了時刻が格納された記録タイミング情報記憶部と、時刻が前記記録開始時刻になったとき記録対象の画面の前記表示装置への表示要求を前記画面表示制御手段に出力し時刻が前記記録終了時刻になったとき記録対象の画面の前記表示装置からの消去要求を前記画面表示制御手段に出力する記録タイミング制御手段とを備え、前記動画データ変換手段は前記記録開始時刻から前記記録終了時刻まで前記表示装置に表示されている画面を動画イメージに変換し前記イメージデータ記録部に保存することを特徴とする請求項５記載のプラント監視装置。
【請求項１０】
記録対象の画面の記録開始時刻及び所定の記録時間が格納された記録タイミング情報記憶部と、時刻が前記記録開始時刻になったとき記録対象の画面の前記表示装置への表示要求を前記画面表示制御手段に出力し前記記録開始時刻から前記記録時間の経過時に記録対象の画面の前記表示装置からの消去要求を前記画面表示制御手段に出力する記録タイミング制御手段とを備え、前記動画データ変換手段は前記記録開始時刻から前記記録時間の経過時まで前記表示装置に表示されている画面を動画イメージに変換し前記イメージデータ記録部に保存することを特徴とする請求項５記載のプラント監視装置。
【請求項１１】
入力装置からのプラント操作信号を前記画面表示制御手段を介して入力したとき、プラントの制御装置に対しプロセス制御信号を出力するプロセス出力手段にその旨を通知すると共に前記イメージデータ制御手段に対しイメージデータの記録要求を通知するオペレーション制御手段を備えたことを特徴とする請求項５記載のプラント監視装置。
【請求項１２】
プラントのプロセス状態をプロセス入力手段を介して入力し保存する入力点情報記憶部と、プラント監視制御室や機械室の音声情報を入力する音声入力手段と、音声の記録タイミング条件が格納された記録タイミング情報記憶部と、前記プロセス状態に基づいて前記記録タイミング情報記憶部に格納されている記録タイミング条件が成立したか否かを判定し記録タイミング条件が成立した場合に前記音声入力手段へ音声記録要求を行う記録タイミング制御手段と、前記音声入力手段で入力した音声情報を保存する音声データ記録情報記憶部と、入力装置からの要求により音声再現装置に対象となる音声記録の再現を行う音声データ制御手段とを備えたことを特徴とするプラント監視装置。
【請求項１３】
前記音声入力手段で入力した音声情報の音声の大きさ及び周波数の変化を検出しその検出結果を前記音声データ記録情報記憶部に保存する音声データ解析手段を備えたことを特徴とする請求項１２に記載のプラント監視装置。
【発明の詳細な説明】
【０００１】
【発明の属する技術分野】
本発明は、表示装置に画面を表示してプラントを監視するプラント監視装置に関する。
【０００２】
【従来の技術】
一般に、プラント監視装置は、プラントからプロセス状態を読み込み、読み込んだプロセス状態を系統図やトレンドグラフ等の画面として表示装置に表示しプラントを監視するものである。そして、プラントの監視にあたってプラント状態の記録をとる場合には、表示装置に表示された画面をハードコピー装置等の記録装置に印刷出力し記録する場合がある。この場合、運転員は表示装置に表示された画面を監視しながら、記録をとりたい画面についてハードコピー装置に対し印刷出力操作を行う。
【０００３】
また、予めハードコピーをとる画面を設定しておき、警報信号が発生したことやその画面が表示装置に表示されたことをトリガとして、ハードコピー装置にその画面を自動的に印字出力するようにしたものがある（例えば特許文献１）。また、警報信号の発生（プラントトリップ等の要因発生）の条件成立により、表示装置に表示すべき全画面を対象としてそれらの画面に使用しているプロセスデータに変化があるときは、そのプロセスデータを予め設定した期間保存するようにしたものもある（例えば特許文献２参照）。
【０００４】
【特許文献１】
特開昭６１−２８９４０５号公報
【０００５】
【特許文献２】
特開２００１−１５４７３１号公報
【０００６】
【発明が解決しようとする課題】
しかし、予めハードコピーをとる画面を定めておいたとしても、警報信号とハードコピーをとる画面との対応付けやハードコピーをとる画面の表示装置への表示タイミング条件の設定を適切に行っていないと、適切にハードコピーをとることができない。ハードコピーは、表示タイミングでのワンショットデータであるので、ハードコピーをとるタイミングが重要となる。
【０００７】
このことから、時間的な傾向が必要となるデータについては、ハードコピーでは記録することができない。さらには、ハードコピー装置への印刷出力はワンショットデータであり紙を媒体としているので、記録データの加工が困難で保存や運搬にもコストがかかる。
【０００８】
一方、プラントトリップ等の要因発生の条件成立により、表示装置に表示すべき全画面を対象として、それらの画面に使用しているプロセスデータを予め設定した期間だけ保存した場合には、データの収集や記録漏れを防止できるが、全画面を対象とすることからデータ収集の負担が大きく、またデータ収集後の編集にも時間を要する。
【０００９】
本発明の目的は、自動的に記録すべき画面データを適正な記録タイミングで収集でき、また時間的な傾向が必要となる画面データも収集できるプラント監視装置を提供することである。
【００１０】
【課題を解決するための手段】
本発明に係わるプラント監視装置は、記録タイミング制御手段はプロセス状態に基づいて記録タイミング情報記憶部に格納された記録タイミング条件が成立したか否かを判定し、記録タイミング条件が成立した場合に記録対象の画面の表示要求を画面表示制御手段に行う。画面表示制御手段は、入力点情報記憶部に記憶されたプロセス状態を画面情報記憶部に保存されたプラント監視のための画面データと共に画面として表示装置に表示し、ハードコピー装置に印刷要求する。また、入力装置からの要求により表示装置に表示された画面をイメージデータに変換し、その画面のイメージデータを保存して電子データとして活用する。
【００１１】
また、表示装置に表示された画面を所定の時間分だけ動画イメージに変換し、時間的な傾向が分かる画面データを収集する。さらには、プラントの各所の音声情報を入力し音声を再現したり分析したりし、プラント構成機器の異常音の検出も行う。
【００１２】
【発明の実施の形態】
以下、本発明の実施の形態を説明する。図１は本発明の第１の実施の形態に係るプラント監視装置のブロック構成図である。プラントからの各種プロセス信号は検出器や制御装置１１からプロセス入力手段１２を介して入力点情報記憶部１３に入力される。入力点情報記憶部１３には、プロセス信号の状態であるプロセス状態はTAGと呼ばれるIDを元に保存されている。また、画面情報記憶部１４にはプラント状態を視覚的に表示するための系統図やトレンドグラフ等の画面データが保存され、画面表示制御手段１５により、プロセス状態が画面データと共に画面として表示装置１６に表示される。表示装置１６は例えばＣＲＴ表示装置や液晶表示装置であり、画面表示を行える表示装置である。画面表示制御手段１５には運転員からの各種の指令信号や操作信号を入力するための入力装置１７が接続されている。入力装置１７は、例えばマウスやキーボード等である。
【００１３】
記録タイミング情報記憶部１８にはハードコピー装置１９に記録する記録対象の画面の記録タイミング条件が記憶されている。この記録タイミング情報記憶部１８の記録タイミング条件は、後述するように、表示装置１６に表示される専用の編集画面から入力装置１７の入力操作により設定や設定変更が可能となっている。
【００１４】
記録タイミング制御手段２０は、記録タイミング情報記憶部１８に保存されている記録タイミング条件と入力点情報記憶部１３に保存されているプロセス状態とを周期的に監視する。すなわち、プロセス状態に基づいて記録タイミング条件が成立したか否かを判定し、記録タイミング条件が成立した場合には記録対象の画面を表示装置に表示するための表示要求を画面表示制御手段１５に出力すると共にハードコピー装置１９に印刷要求する。これにより、自動的に記録対象画面の表示および記録を行うことができる。
【００１５】
図２は、第１の実施の形態における記録タイミング情報記憶部１８の説明図である。記録タイミング情報記憶部１８には、記録対象の画面の記録タイミング条件が格納されている。すなわち、タイミング判定用ポイント、制限値番号、判定条件、記録画面情報の項目を有し、タイミング判定用ポイントはプロセス信号の入力点のIDであり、制限値番号はプロセス信号がアナログ信号である場合の制限値を示すインデックスであり、判定条件は記録タイミング条件を判定するための判定条件であり、記録画面情報は記録対象となる画面の名称である。
【００１６】
図３は、記録タイミング情報記憶部１８の記録タイミング条件の設定や設定変更の際の編集画面の説明図である。メインとなる記録タイミング一覧画面２１は、現在登録されている記録タイミング条件の内容がリスト形式で表示される。画面下の追加ボタン２２は記録タイミング条件を追加するためのボタンであり、変更ボタン２３は記録タイミング条件を変更するためのボタンである。また、削除ボタン２４は記録タイミング条件を削除するためのボタンであり、キャンセルボタン２５は操作を取り消すためのボタンである。
【００１７】
新たに記録タイミング条件を設定する場合には、追加ボタン２２をクリックする。これにより、記録タイミング設定画面２６が表示される。記録タイミング設定画面２６では、判定ポイント、制限値番号、判定条件、記録場面を設定する。例えば、判定ポイントを設定する場合、入力装置１７であるマウスの右のボタンで判定ポイントを選択しクリックする。これによりポイント登録画面２７が表示される。ポイント登録画面２７には、入力点情報記憶部１３の入力点情報を元に設定可能な入力点がリスト形式に表示されている。そこで、対象とする入力点のポイントを選択しＯＫボタンをクリックすることで、選択したポイントがポイント登録画面２７に設定される。
【００１８】
また、記録タイミング設定画面２６で記録画面を選択する場合、入力装置１７であるマウスの右のボタンで記録画面を選択しクリックすると画面登録画面２８が表示される。画面登録画面には、画面情報記憶部１４の画面情報を元に設定可能な画面がリスト形式に表示される。そこで、対象となる画面を選択しＯＫボタンをクリックすることで選択した画面が設定される。運転員は、このように専用対話画面を介して入力装置１７で操作することにより、記録タイミング情報記憶部１８の記録タイミング条件を設定することが可能となる。
【００１９】
記録タイミング条件を変更する場合には、記録タイミング一覧画面２１から変更したい記録タイミング条件を選択し変更ボタン２３をクリックする。これにより、記録タイミング設定画面２６が表示される。この場合、記録タイミング設定画面の各項目（判定ポイント、制限値番号、判定条件、記録場面）には、変更しようとする記録タイミング条件の内容が記入されているが、変更したい項目について変更を加え、以下、新たに記録タイミング条件を設定する場合と同様に変更したい項目について変更を加える。また、記録タイミング条件を削除する場合には、記録タイミング一覧画面２１から削除したい記録タイミング条件を選択し、削除ボタン２４をクリックすることにより、選択されている記録タイミング条件を削除する。
【００２０】
このように、運転員は、表示装置１６および入力装置１７を用いて専用対話画面を通して操作することにより、記録タイミング情報記憶部１８の記録タイミング条件を編集することが可能となる。
【００２１】
第１の実施の形態によれば、記録対象となる画面の記録タイミング条件を予め設定することで自動的にデータの記録が可能となるので、データの損失を防止することができ、運転員の負荷を軽減することができる。また、記録タイミング条件の編集は対話画面を通して行うので、設定や設定変更が容易にしかも適切にできる。
【００２２】
次に、本発明の第２の実施の形態を説明する。図４は本発明の第２の実施の形態に係るプラント監視装置のブロック構成図である。この第２の実施の形態は、図１に示した第１の実施の形態に対し、記録タイミング情報記憶部１８及び記録タイミング制御手段２０に代えて、入力装置１７からの要求により表示装置１６に表示された画面をイメージデータに変換するイメージデータ制御手段２９と、イメージデータ制御手段２９で変換された画面のイメージデータを保存するイメージデータ記録部３０とを設け、表示された画面をイメージデータで保存し電子データで取り扱うようにしたものである。図１と同一要素には同一符号を付し重複する説明は省略する。
【００２３】
イメージデータ制御手段２９は、表示装置１６に表示中の画面を運転員が入力装置１７を操作し記録要求を行ったとき、表示装置１６の表示領域のグラフィック情報をピクセル単位で画面表示制御手段１５から取得し、ビットマップファイルに変換してイメージデータ記録部３０へ記録する。なお、イメージデータはビットマップやJPEG等に変換する。
【００２４】
図５は、イメージデータ記録部３０へのビットマップファイルの保存の説明図である。イメージデータ制御手段２９は、画面のビットマップファイルを作成した後、イメージデータ記録部３０内に作成日時を元にしたディレクトリを作成し、作成時刻と画面名とを元にしたファイル名で保存する。これにより、運転員は日付とファイル名から容易にビットマップファイルを見つけ、必要に応じてハードコピー装置１９に印刷することが可能となる。
【００２５】
第２の実施の形態によれば、表示された画面をイメージデータ（ビットマップ、JPEG等）に変換し、記録データをイメージデータ記録部３０に保存するので、運転員が必要に応じて印刷できる。従って、不要な出力を防ぐことができ、また、繰り返し印刷を可能とすることができる。
【００２６】
次に、本発明の第３の実施の形態を説明する。図６は本発明の第３の実施の形態に係るプラント監視装置のブロック構成図である。この第３の実施の形態は、図４に示した第２の実施の形態に対し、イメージデータ記録部３０に保存されたイメージデータを外部記憶装置３１へ出力するイメージデータ出力手段３２を追加して設けたものである。図４と同一要素には同一符号を付し重複する説明は省略する。
【００２７】
図６において、運転員は表示装置１６にイメージデータに関する専用対話画面から入力装置１７により、イメージデータ記録部３０に記憶された画面のイメージデータを外部記憶装置３１に出力する指令を出力する。イメージデータ出力手段３２はこの指令を入力すると、イメージデータ記録部３０に保存されているイメージデータを外部記憶装置３１へ出力する。外部記録装置３１には、CR-R/W、DVD-R/W、MO等の電子データが記憶でき読み出し可能な電子媒体が用いられる。
【００２８】
図７は、第３の実施の形態におけるイメージデータに関する専用対話画面の説明図である。図７に示すように、専用対話画面は記録データ一覧画面３３で構成され、表示ボタン３４、保存ボタン３５、削除ボタン３６、キャンセルボタン３７が設けられている。記録データ一覧画面３３には、イメージデータ記録部３０に記録されているイメージデータの一覧が画面名称及び記録日時として表示される。
【００２９】
表示ボタン３４は、記録データ一覧画面３３に表示された記録データ一覧の中から表示したい記録データを選択した後にクリックして、表示装置１６にその画面を表示するものである。また、保存ボタン３５は記録データ一覧画面３３に表示された記録データ一覧の中から外部記憶装置３１に保存したい記録データを選択した後にクリックして、外気部記憶装置３１に保存するものである。削除ボタン３６は記録データ一覧画面３３に表示された記録データ一覧の中から削除したい記録データを選択した後にクリックしてその記録データを削除するものである。また、キャンセルボタン３７は操作を取り消すためのボタンである。
【００３０】
イメージデータ記録部３０に保存されたイメージデータを外部記憶装置３１に保存する場合には、記録データ一覧画面３３のリストから保存するイメージデータを選択し、保存ボタン３５をクリックする。これにより、イメージデータ出力手段３２に保存要求が通知され、イメージデータ記録部３０に保存されているイメージデータが外部記録装置３１に出力される。
【００３１】
第３の実施の形態によれば、第２の実施の形態の効果に加え、画面データを汎用PCで処理可能なデータ形式（ビットマップ、JPEG等）に変換し、汎用の記録媒体（CR-R/W,DVD-R/W,MO等）に出力できるので、記録データの取り出しや加工が容易に行える。
【００３２】
次に、本発明の第４の実施の形態を説明する。図８は本発明の第４の実施の形態に係るプラント監視装置のブロック構成図である。この第４の実施の形態は、図６に示した第３の実施の形態に対し、記録タイミング情報記憶部１８と記録タイミング制御手段２０とを追加して設けたものである。図６と同一要素には同一符号を付し重複する説明は省略する。なお、図８ではハードコピー装置１９の記載を省略している。
【００３３】
記録タイミング情報記憶部１８には、記録対象の画面の記録タイミング条件が格納されている。この記録タイミング情報記憶部１８は、図１に示した第１の実施の形態の記録タイミング情報記憶部１８と同じであり、また、記録タイミング制御手段２０も図１に示した第１の実施の形態の記録タイミング制御手段２０と同じである。すなわち、記録タイミング制御手段２０は、プロセス状態に基づいて記録タイミング情報記憶部２０に格納された記録タイミング条件が成立したか否かを判定し、記録タイミング条件が成立した場合には記録対象の画面を表示装置１６に表示する表示要求を画面表示制御手段１５に出力する。また、ハードコピー装置１９に印刷要求する。
【００３４】
一方、イメージデータ記録部３０への画面のイメージデータの保存は、入力装置１７からの運転員の要求により行われ、外部記憶装置３１へのイメージデータの出力も運転員の要求により行われる。
【００３５】
この第４の実施の形態によれば、自動的に記録対象となる画面のデータの記録が可能となる。また、表示された画面のイメージデータを保存することができ、外部記憶装置に保存できるので、記録データの取り出しや加工が容易に行える。
【００３６】
次に、本発明の第５の実施の形態を説明する。図９は本発明の第５の実施の形態に係るプラント監視装置のブロック構成図である。この第５の実施の形態は、図６に示した第３の実施の形態に対し、動画データ変換手段３８を追加して設けたものである。図６と同一要素には同一符号を付し重複する説明は省略する。なお、図９ではハードコピー装置１９の記載を省略している。
【００３７】
図９において、動画データ変換手段３８は、  運転員による入力装置１７からの指令に基づき所定期間の動画データを求めるものである。すなわち、運転員は、入力装置１７から表示装置１６に表示されている画面の記録開始要求及び記録終了要求を入力する。この画面の記録開始要求及び記録終了要求は、動画データ変換手段３８に入力され、動画データ変換手段３８は、記録開始要求を入力すると、表示装置１６に表示されている画面のイメージデータを記録開始し、記録終了要求が入力されると記録を終了する。従って、記録開始要求から記録終了要求までの期間の動画データがイメージデータ記録部３０に保存される。
【００３８】
すなわち、運転員は入力装置１７を操作し記録開始要求を行う。記録開始要求は画面表示制御手段１５に入力され、イメージデータ制御手段２９を経由して動画データ変換手段３８に通知される。動画データ変換手段３８は、表示装置１６に表示されている画面を動画データに変換しイメージデータ記録部３０へ記録する。また、記録停止要求により動画データへの変換及びイメージデータ記録部３０への記録を停止する。
【００３９】
図１０は、第５の実施の形態における動画データに関する専用対話画面の説明図である。図１０に示すように、専用対話画面は動画記録データ一覧画面３９で構成され、表示ボタン４０、保存ボタン４１、削除ボタン４２、キャンセルボタン４３が設けられている。記録データ一覧画面３９には、イメージデータ記録部３０に記録されている動画データの一覧が画面名称及び記録日時として表示される。表示ボタン４０、保存ボタン４１、削除ボタン４２、キャンセルボタン４３は、基本的には、図７に示した記録データ一覧画面３３の場合と同様であるので説明は省略する。
【００４０】
表示ボタン４０をクリックすると動画イメージ表示画面４４が表示される。動画イメージ表示画面４４には、動画データに対応するための再生、停止、一時停止、早送り、巻き戻しボタンが備えられており、それぞれのボタンを操作することによりイメージデータを確認することができる。また、印刷ボタン４５をクリックすることで表示されている動画データが印刷され、キャンセルボタン４６をクリックすることで操作が解除される。
【００４１】
第５の実施の形態によれば、運転員が入力装置にて記録開始要求した時点から記録停止要求が行われるまでの期間の動画データがイメージデータ記録部３０に記録されるので、時間的な傾向が必要となる画面のデータを収集することができる。例えば、時間的な傾向が必要となるプラント起動／停止時の自動化画面等のデータを適切に記録することができる。
【００４２】
次に、本発明の第６の実施の形態を説明する。図１１は本発明の第６の実施の形態に係るプラント監視装置のブロック構成図である。この第６の実施の形態は、図９に示した第５の実施の形態に対し、記録タイミング情報記憶部１８と記録タイミング制御手段２０とを追加して設け、記録タイミング制御手段２０は、記録タイミング情報記憶部１８に保存された記録開始タイミング条件及び記録停止タイミング条件と、入力点情報記憶部１３のプロセス状態とを比較し、状態が一致していた場合に記録対象となる画面の表示要求や消去要求を画面表示制御手段１５に通知するようにしたものである。図９と同一要素には同一符号を付し重複する説明は省略する。なお、図１１ではハードコピー装置１９の記載を省略している。
【００４３】
図１１において、記録タイミング情報記憶部１８には、記録対象の画面の記録開始タイミング条件及び記録終了タイミング条件が格納されている。記録タイミング制御手段２０は、プロセス状態に基づいて記録タイミング情報記憶部に格納された記録開始タイミング条件及び記録終了タイミング条件が成立したか否かを判定する。そして、記録開始タイミング条件が成立した場合には記録対象の画面を表示装置１６に表示する表示要求を画面表示制御手段１５に出力する。一方、記録終了タイミング条件が成立した場合には記録対象の画面を表示装置１６からの消去する消去要求を画面表示制御手段１５に出力する。動画データ変換手段３８は、記録開始タイミング条件の成立から記録終了タイミング条件の成立まで、表示装置１６に表示されている画面を動画イメージに変換しイメージデータ記録部３０に保存する。
【００４４】
図１２は、第６の実施の形態における記録タイミング情報記憶部１８の説明図である。記録タイミング情報記憶部１８には、記録対象の画面の記録開始タイミング条件及び記録終了タイミング条件が格納されている。すなわち、記録開始判定入力ポイント、制限値番号、成立条件（記録開始タイミング条件）、記録終了判定入力ポイント、制限値番号、成立条件（記録終了タイミング条件）、記録画面情報の項目を有し、記録開始判定入力ポイント及び記録終了判定入力ポイントはプロセス信号の入力点のIDであり、制限値番号はプロセス信号がアナログ信号である場合の制限値を示すインデックスであり、成立条件は記録開始タイミング条件や記録終了タイミング条件の成立を判定するための条件であり、記録画面情報は記録対象となる画面の名称である。
【００４５】
記録タイミング制御手段２０は、入力点情報記憶部１３のプラント状態と記録タイミング情報記憶部１８の記録開始タイミング条件及び記録停止タイミング条件とを比較し、タイミング条件が成立した場合、画面表示制御手段１５に対して記録対象画面の表示要求または消去要求を通知する。画面表示制御手段１５は、表示要求を受信した場合には表示装置１６へ画面表示を行い、イメージデータ制御手段２９に対して記録開始要求を通知する。これにより、イメージデータ制御手段２９は、動画データ変換手段３８へ記録開始要求を通知する。動画データ変換手段３８は、表示装置１６に表示されている画面の変換及びイメージデータ記録部３０への記録を開始する。
【００４６】
一方、画面表示制御手段１５は、消去要求を受信した場合、表示装置１６に表示中の画面を消去し、イメージデータ制御手段２９に対して記録停止要求を通知する。イメージデータ制御手段２９は、動画データ変換手段３８へ記録停止要求を通知する。動画データ変換手段３８は、データ変換及びイメージデータ記録部３０への記録を停止する。
【００４７】
第６の実施の形態によれば、第５の実施の形態の効果に加え、記録対象の画面の記録開始タイミング条件及び記録終了タイミング条件を予め設定することで、プロセスの特定状態中の動画データを自動的に記録することができる。従って、記録対象の画面データの損失防止や運転員の負荷を軽減できる。
【００４８】
次に、本発明の第７の実施の形態を説明する。図１３は第７の実施の形態における記録タイミング情報記憶部１８の説明図である。この第７の実施の形態は、図１２に示した第５の実施の形態に対し、記録終了タイミング条件（記録終了判定入力ポイント、制限値番号、成立条件）に代えて、画像データの記録終了の条件を所定の記録時間としたものである。
【００４９】
図１３に示すように、記録タイミング情報記憶部１８は、記録開始タイミング判定入力ポイント、制限値番号、成立条件（記録開始タイミング条件）と、記録時間と、記録画面情報とから構成されている。記録時間にはデータを記録する所定の時間が予め設定される。
【００５０】
記録タイミング制御手段２０は、プロセス状態に基づいて記録タイミング情報記憶部に格１８納された記録開始タイミング条件が成立したか否かを判定し、記録開始タイミング条件が成立した場合には記録対象の画面を表示するための表示要求を画面表示制御手段１５に出力する。そして、表示要求の時点からの経過時間が予め設定した記録時間を経過したかどうかを判定し、記録時間を経過したときに、記録対象の画面の表示装置１６からの消去要求を画面表示制御手段１５に出力する。動画データ変換手段３８は、記録開始タイミング条件の成立から記録時間の経過時まで、表示装置１６に表示されている画面を動画イメージに変換しイメージデータ記録部３０に保存する。
【００５１】
すなわち、記録タイミング制御手段２０は、入力点情報記憶部１３のプラント状態と記録タイミング情報記憶部１８内の記録開始タイミング条件とを比較し、記録開始タイミング条件が成立した場合には、画面表示制御手段１５に対して記録対象の画面の表示要求を通知する。画面表示制御手段１５は、表示要求を受信した場合、表示装置１６へ画面表示を行い、イメージデータ制御手段２９に対して記録開始要求を通知する。イメージデータ制御手段２９は、動画データ変換手段３８へ記録開始要求を通知する。動画データ変換手段３８は、表示装置１６に表示されている画面の変換及びイメージデータ記録部３０への記録を開始する。
【００５２】
一方、記録タイミング制御手段２０は、表示開始からの記録時間を計測し記録タイミング情報記憶部１８内の記録時間を超過した場合、画面表示制御手段１５に対して記録対象画面の消去要求を通知する。画面表示制御手段１５は、消去要求を受信した場合、表示装置１６に表示中の画面を消去し、イメージデータ制御手段２９に対して記録停止要求を通知する。イメージデータ制御手段２９は、動画データ変換手段３８へ記録停止要求を通知する。動画データ変換手段３８は、データ変換及びイメージデータ記録部３０への記録を停止する。
【００５３】
第７の実施の形態によれば、記録終了タイミング条件に代えて、予め設定された記録時間が経過したときにデータの収集を終了するので、予め定めた記録時間分のデータが確実に収集できる。
【００５４】
次に、本発明の第８の実施の形態を説明する。図１４は第８の実施の形態における記録タイミング情報記憶部１８の説明図である。この第８の実施の形態は、図１２に示した第５の実施の形態に対し、記録終了タイミング条件（記録終了判定入力ポイント、制限値番号、成立条件）に代えて、画像データの記録終了の条件を所定の記録容量としたものである。
【００５５】
図１４に示すように、記録タイミング情報記憶部１８は、記録開始タイミング判定入力ポイント、制限値番号、成立条件（記録開始タイミング条件）と、記録容量と、記録画面情報とから構成されている。記録容量にはデータを記録する所定の容量が予め設定される。
【００５６】
記録タイミング制御手段２０は、プロセス状態に基づいて記録タイミング情報記憶部１８に格納された記録開始タイミング条件が成立したか否かを判定する。そして、記録開始タイミング条件が成立した場合には、記録対象の画面を表示装置１６に表示するための表示要求を画面表示制御手段１５に出力する。そして、表示要求の時点から記録データの記録を開始し、記録データの容量が予め定めた記録容量を超過したときに、記録対象の画面の表示装置１６からの消去要求を画面表示制御手段１５に出力する。動画データ変換手段３８は記録開始タイミング条件の成立から記録容量の超過時まで表示装置１６に表示されている画面を動画イメージに変換し、イメージデータ記録部３０に保存する。
【００５７】
すなわち、記録タイミング制御手段２０は、入力点情報記憶部１３のプラント状態と記録タイミング情報記憶部１８の記録開始タイミング条件とを比較し、記録開始タイミング条件が成立した場合、画面表示制御手段１５に対して記録対象の画面の表示要求を通知する。画面表示制御手段１５は、表示要求を受信した場合、表示装置１６へ画面表示を行い、イメージデータ制御手段２９に対して記録開始要求を通知する。イメージデータ制御手段２９は、動画データ変換手段３８へ記録開始要求を通知する。動画データ変換手段３８は、表示装置１６に表示されている画面の変換及びイメージデータ記録部３０への記録を開始する。
【００５８】
一方、記録タイミング制御手段２０は、表示開始からの記録容量を計測し、記録タイミング情報記憶部１８に予め設定された記録容量を超過した場合、画面表示制御手段１５に対して記録対象画面の消去要求を通知する。画面表示制御手段１５は、消去要求を受信した場合、表示装置１６に表示中の画面を消去し、イメージデータ制御手段２９に対して記録停止要求を通知する。イメージデータ制御手段２９は、動画データ変換手段３８へ記録停止要求を通知する。動画データ変換手段３８は、データ変換及びイメージデータ記録部３０への記録を停止する。
【００５９】
第８の実施の形態によれば、記録終了タイミング条件に代えて、記録データが予め設定された記録容量を超過したときにデータの収集を終了するので、予め定めた記録容量分のデータが確実に収集できる。
【００６０】
次に、本発明の第９の実施の形態を説明する。図１５は第９の実施の形態における記録タイミング情報記憶部１８の説明図である。この第９の実施の形態は、図１２に示した第５の実施の形態に対し、記録開始タイミング条件（記録開始判定入力ポイント、制限値番号、成立条件）に代えて記録終了時刻とし、記録終了タイミング条件（記録終了判定入力ポイント、制限値番号、成立条件）に代えて記録終了時刻としたものである。
【００６１】
図１５に示すように、記録タイミング情報記憶部１８は、記録開始時刻と、記録終了時刻と、記録画面情報とから構成されている。記録開始時刻には記録データを収集開始する時刻が予め設定され、記録終了時刻にはデータの収集を終了する時刻が予め設定される。
【００６２】
記録タイミング制御手段２０は、時刻が記録開始時刻になったとき記録対象の画面の表示装置１６への表示要求を画面表示制御手段１５に出力する。そして、時刻が記録終了時刻になったとき記録対象の画面の表示装置１６からの消去要求を画面表示制御手段１５に出力する。動画データ変換手段３８は、記録開始時刻から記録終了時刻まで、表示装置１６に表示されている画面を動画イメージに変換しイメージデータ記録部３０に保存する。
【００６３】
すなわち、記録タイミング制御手段２０は、記録タイミング情報記憶部１８の記録開始時刻及び停止時刻を監視し、時刻が記録開始時刻及び停止時刻に到達した場合、画面表示制御手段１５に対して記録対象画面の表示要求または消去要求を通知する。画面表示制御手段１５は、表示要求を受信した場合、表示装置１６へ画面表示を行い、イメージデータ制御手段２９に対して記録開始要求を通知する。イメージデータ制御手段２９は、動画データ変換手段３８へ記録開始要求を通知する。動画データ変換手段３８は、表示装置１６に表示されている画面の変換及びイメージデータ記録部３０への記録を開始する。
【００６４】
一方、画面表示制御手段１５は、消去要求を受信した場合、表示装置１６に表示中の画面を消去し、イメージデータ制御手段２９に対して記録停止要求を通知する。イメージデータ制御手段２９は、動画データ変換手段３８へ記録停止要求を通知する。動画データ変換手段３８は、データ変換及びイメージデータ記録部３０への記録を停止する。
【００６５】
第９の実施の形態によれば、記録開始タイミング条件に代えて記録開始時刻とし、記録終了タイミング条件に代えて記録終了時刻としたので、データの収集時刻や時間帯が正確に設定できる。
【００６６】
次に、本発明の第１０の実施の形態を説明する。図１６は第１０の実施の形態における記録タイミング情報記憶部１８の説明図である。この第１０の実施の形態は、図１２に示した第５の実施の形態に対し、記録開始タイミング条件（記録開始判定入力ポイント、制限値番号、成立条件）に代えて記録終了時刻とし、記録終了タイミング条件（記録終了判定入力ポイント、制限値番号、成立条件）に代えて所定の記録時間としたものである。
【００６７】
図１６に示すように、記録タイミング情報記憶部１８は、記録開始時刻と、記録時刻と、記録画面情報とから構成されている。記録開始時刻には記録データを収集開始する時刻が予め設定され、記録終了時刻には記録開始時刻からの記録時間が予め設定される。
【００６８】
記録タイミング制御手段２０は時刻が記録開始時刻になったとき記録対象の画面の表示装置１６への表示要求を画面表示制御手段１５に出力する。そして、記録開始時刻から記録時間の経過時に記録対象の画面の表示装置１６からの消去要求を画面表示制御手段１５に出力する。動画データ変換手段３８は記録開始時刻から記録時間の経過時まで、表示装置１６に表示されている画面を動画イメージに変換しイメージデータ記録部３０に保存する。
【００６９】
すなわち、記録タイミング制御手段２０は、記録タイミング情報記憶部１８に設定された記録開始時刻を監視し、時刻がその記録開始時刻に到達した場合、画面表示制御手段１５に対して記録対象の画面の表示要求を通知する。画面表示制御手段１５は、表示要求を受信した場合、表示装置１６へ画面表示を行い、イメージデータ制御手段２９に対して記録開始要求を通知する。イメージデータ制御手段２９は、動画データ変換手段３８へ記録開始要求を通知する。動画データ変換手段３８は、表示装置１６に表示されている画面の変換及びイメージデータ記録部３０への記録を開始する。
【００７０】
一方、記録タイミング制御手段２０は、表示開始からの記録時間を計測し記録タイミング情報記憶部１８に設定された記録時間を超過した場合、画面表示制御手段１５に対して記録対象画面の消去要求を通知する。画面表示制御手段１５は、消去要求を受信した場合、表示装置１６に表示中の画面を消去し、イメージデータ制御手段２９に対して記録停止要求を通知する。イメージデータ制御手段２９は、動画データ変換手段３８へ記録停止要求を通知する。動画データ変換手段３８は、データ変換及びイメージデータ記録部３０への記録を停止する。
【００７１】
第１０の実施の形態によれば、記録開始タイミング条件に代えて記録開始時刻とし、記録終了タイミング条件に代えて記録データの記録時間としたので、データの収集開始時刻や記録時間が正確に設定できる。
【００７２】
次に、本発明の第１１の実施の形態について説明する。図１７は本発明の第１１の実施の形態に係るプラント監視装置のブロック構成図である。この第１１の実施の形態は、図９に示した第５の実施の形態に対し、プロセス出力手段４７とオペレーション制御手段４８とを追加して設け、入力装置１７からのプラント操作信号を画面表示制御手段１５を介して入力したとき、オペレーション制御手段４８は、プラントの制御装置１１に対しプロセス制御信号を出力するプロセス出力手段４７にその旨を通知すると共に、イメージデータ制御手段２９に対しイメージデータの記録要求を通知するようにしたものである。図９と同一要素には同一符号を付し重複する説明は省略する。
【００７３】
運転員は、入力装置１６により画面表示制御手段１５からオペレーションを行うことにより、オペレーション制御手段４８を介して、プロセス出力手段４７に対し、プロセス制御信号が通知され制御装置１１に出力される。オペレーション制御手段４８は、プロセス出力手段４７にプロセス制御信号を通知すると共にイメージデータ制御手段２９に対し、イメージ制御の信号を通知することにより、自動的にイメージデータがイメージデータ記録部３０に記録される。
【００７４】
第１１の実施の形態によれば、運転員によるプラントへのオペレーションときに、プラントの状態を表す画面の記録を自動的に記録できるので、運転員の判断によりオペレーションの都度に画面の記録をする必要がなくなる。すなわち、運転員がオペレーションを行うことによって、自動的にプラント状態を表す画面をイメージデータとして記録することができる。
【００７５】
次に、本発明の第１２の実施の形態を説明する。図１８は本発明の第１２の実施の形態に係るプラント監視装置のブロック構成図である。この第１２の実施の形態は、プラント監視制御室において発せられる音声アナウンスや運転員の指示の声をプラント状態に応じて自動記録できるようにしたものである。
【００７６】
図１８において、プラントからの各種プロセス信号は検出器や制御装置１１からプロセス入力手段１２を介して入力点情報記憶部１３に入力される。入力点情報記憶部１３には、プロセス信号の状態であるプロセス状態はTAGと呼ばれるIDを元に保存されている。
【００７７】
記録タイミング情報記憶部１８には音声の記録タイミング条件が格納されており、記録タイミング制御手段２０は、入力点情報記憶部１３に記憶されたプラント状態に基づいて、記録タイミング情報記憶部１８に格納されている記録タイミング条件が成立したか否かを判定し、記録タイミング条件が成立した場合に音声入力手段４９へ音声記録要求を行う。音声入力手段４９は記録タイミング制御手段２０からの音声記録要求を入力すると、プラント監視制御室や機械室に設置された音声採集装置５０からの音声情報を入力し、音声データ記録情報記憶部５１に保存する。音声データ記憶情報記憶部５１に保存した音声情報は、入力装置１７からの要求により、音声データ制御手段５２は音声再現装置５３に対象となる音声記録の再現を行う。
【００７８】
図１９は、第１２の実施の形態における記録タイミング情報記憶部１８の説明図である。記録タイミング情報記憶部１８には、タイミング判定用ポイントと、制限値番号と、判定条件とが設定されている。タイミング判定用ポイントはプロセス信号の入力点のIDであり、制限値番号はプロセス信号がアナログ信号である場合の制限値を示すインデックスであり、判定条件は記録タイミング条件を判定するための判定条件である。
【００７９】
また、記録タイミング情報記憶部１８に設定された音声の記録タイミング条件は、表示装置１６に表示された専用の編集画面から設定変更することができるようになっている。
【００８０】
図２０は、第１２の実施の形態における記録タイミング情報記憶部１８の記録タイミング条件の設定や設定変更の際の編集画面の説明図である。メインとなる記録タイミング一覧画面５４には、現在登録されている記録タイミング情報記憶部の内容がリスト形式で表示される。画面下の追加ボタン５５は記録タイミング条件を追加するためのボタンであり、変更ボタン５６は記録タイミング条件を変更するためのボタンである。また、削除ボタン５７は記録タイミング条件を削除するためのボタンであり、キャンセルボタン５８は操作を取り消すためのボタンである。
【００８１】
画面下の追加ボタン５５または変更ボタン５６をクリックすることで記録タイミング設定画面５９が表示され、対話に従って入力することにより、記録タイミング情報記憶部１８の記録タイミング条件の変更や追加ができる。また、削除ボタン５７をクリックすることにより、選択されている記録タイミング条件を削除することができる。
【００８２】
記録タイミング設定画面５９では、判定ポイントを選択する場合、入力装置１７であるマウスの右のボタンをクリックすることでポイント登録画面６０が表示される。ポイント登録画面６０には、入力点情報記憶部１３を元に設定可能な入力点がリスト形式に表示され、対象とするポイントを選択し、ＯＫボタンをクリックすることで選択したポイントがポイント登録画面６０に設定される。このように、運転員は、専用対話画面を操作することにより、記録タイミング情報記憶部１８をの記録タイミング条件を編集する。
【００８３】
図２１は、第１２の実施の形態での音声データを表示／再生／削除を行う専用対話画面の説明図である。メインとなる音声記録データ一覧画面６１には、現在記録されている音声データがリスト形式で表示される。リストを選択し画面下の再生ボタン６２をクリックすることで音声再生画面６３が表示され、音声データ制御手段５２は音声データ記録情報記憶部５１から音声データを取り出す。音声再生画面６３は、音声データに対応するための再生、停止、一時停止、早送り、巻き戻しボタンを備え、それぞれのボタンを操作することで、取り出された音声データを音声再現装置５３で再現することができる。
【００８４】
また、音声記録データ一覧画面６１の削除ボタン６４をクリックすることで音声データ制御手段５２に削除要求が通知され、選択されている音声データを音声データ記録情報記憶部５１から削除することができる。なお、キャンセルボタン６５は操作を解除するためのボタンである。
【００８５】
第１２の実施の形態によれば、予め音声の記録タイミング条件を設定しておき、記録タイミング条件を自動的に判定して音声の自動記録を行うので、過去の状況の確認を容易に確実に行うことができる。
【００８６】
次に、本発明の第１３の実施の形態を説明する。図２２は本発明の第１３の実施の形態に係るプラント監視装置のブロック構成図である。この第１３の実施の形態は、図１８に示した第１２の実施の形態に対し、音声入力手段４９で入力した音声情報の音声の大きさ及び周波数の変化を検出しその検出結果を音声データ記録情報記憶部５１に保存する音声データ解析手段６６を追加して設けたものである。これにより、プラント構成機器の発する動力音の異常を検出し現場作業員の負荷を軽減する。
【００８７】
音声データ解析手段６６は、音声入力手段４９が音声データ記録情報記憶部５１に保存した音声データを定周期で読み込み、未解析の音声データに関して、音の大きさや周波数の規定値からの逸脱を検出して、検出結果の情報を音声データ記録情報記憶部５１に追加して書き込む。音声データ制御手段５２は、入力装置１７からの運転員の要求により、音声データ記録情報記憶部５１の内容を表示装置１６の専用の対話画面上に表示する。
【００８８】
図２３は、第１３の実施の形態での音声データを表示／再生／削除を行う専用対話画面の説明図である。メインとなる記録データ一覧画面６１には、現在記録されている音声データと音声の大きさや周波数の変化の検出結果とがリスト形式で表示される。リストを選択し画面下の再生ボタン６２をクリックすることで音声再生画面６３が表示される。音声データ制御手段５２は音声データ記録情報記憶部５１から音声データを取り出す。音声再生画面６３は、音声データに対応するための再生、停止、一時停止、早送り、巻き戻しボタンを備え、それぞれのボタンを操作することで、取り出された音声データを音声再現装置５３で再現することができる。また、削除ボタン６４をクリックすることで音声データ制御手段５２に削除要求が通知され、選択されている音声データを音声データ記録情報記憶部５１から削除することができる。また、音声の大きさや周波数の変化の検出結果が表示されるので、その音を再現し、通常の音声とは異なる音、例えばプラント構成機器の異常音を聞くことができる。
【００８９】
第１３の実施の形態によれば、プラント構成機器の周辺での記録タイミング条件時の音声データを採集し、音声データを自動解析することにより、プラント構成機器の異常音検出と過去の音声の確認を容易にすることができる。
【００９０】
【発明の効果】
以上述べたように、本発明によれば、予め記録タイミングと記録対象の画面とをを設定しておくので、自動的に記録すべき画面データを適正な記録タイミングで収集できるので、運転員の負荷を軽減することができる。また、画面データをイメージデータで保存できるので、運転員は必要に応じて印刷することができ保存性も向上する。また、動画データとして画面データを記録するので、時間的な傾向が必要となる画面データも容易に収集できる。さらには、音声データも収集するので、運転員の運転操作の確認やプラント構成機器の異常音の確認にも適用できる。
【図面の簡単な説明】
【図１】本発明の第１の実施の形態に係るプラント監視装置のブロック構成図。
【図２】本発明の第１の実施の形態における記録タイミング情報記憶部の説明図。
【図３】本発明の第１の実施の形態における記録タイミング情報記憶部の記録タイミング条件の設定や設定変更の際の編集画面の説明図。
【図４】本発明の第２の実施の形態に係るプラント監視装置のブロック構成図。
【図５】本発明の第２の実施の形態におけるイメージデータ記録部へのビットマップファイルの保存の説明図。
【図６】本発明の第３の実施の形態に係るプラント監視装置のブロック構成図。
【図７】本発明の第３の実施の形態におけるイメージデータに関する専用対話画面の説明図。
【図８】本発明の第４の実施の形態に係るプラント監視装置のブロック構成図。
【図９】本発明の第５の実施の形態に係るプラント監視装置のブロック構成図。
【図１０】本発明の第５の実施の形態における動画データに関する専用対話画面の説明図。
【図１１】本発明の第６の実施の形態に係るプラント監視装置のブロック構成図。
【図１２】本発明の第６の実施の形態における記録タイミング情報記憶部の説明図。
【図１３】本発明の第７の実施の形態における記録タイミング情報記憶部の説明図。
【図１４】本発明の第８の実施の形態における記録タイミング情報記憶部の説明図。
【図１５】本発明の第９の実施の形態における記録タイミング情報記憶部の説明図。
【図１６】本発明の第１０の実施の形態における記録タイミング情報記憶部の説明図。
【図１７】本発明の第１１の実施の形態に係るプラント監視装置のブロック構成図。
【図１８】本発明の第１２の実施の形態に係るプラント監視装置のブロック構成図。
【図１９】本発明の第１２の実施の形態における記録タイミング情報記憶部１８の説明図。
【図２０】本発明の第１２の実施の形態における記録タイミング情報記憶部の記録タイミング条件の設定や設定変更の際の編集画面の説明図。
【図２１】本発明の第１２の実施の形態での音声データを表示／再生／削除を行う専用対話画面の説明図。
【図２２】本発明の第１３の実施の形態に係るプラント監視装置のブロック構成図。
【図２３】本発明の第１３の実施の形態での音声データを表示／再生／削除を行う専用対話画面の説明図。
【符号の説明】
１１…制御装置、１２…プロセス入力手段、１３…入力点情報記憶部、１４…画面情報記憶部、１５…画面表示制御手段、１６…表示装置、１７…入力装置、１８…記録タイミング情報記憶部、１９…ハードコピー装置、２０…記録タイミング制御手段、２１…記録タイミング一覧画面、２２…追加ボタン、２３…変更ボタン、２４…削除ボタン、２５…キャンセルボタン、２６…記録タイミング設定画面、２７…ポイント登録画面、２８…画面登録画面、２９…イメージデータ制御手段、３０…イメージデータ記憶部、３１…外部記憶装置、３２…イメージデータ出力手段、３３…記録データ一覧画面、３４…表示ボタン、３５…保存ボタン、３６…削除ボタン、３７…キャンセルボタン、３８…動画データ変換手段、３９…動画記録データ一覧画面、４０…表示ボタン、４１…保存ボタン、４２…削除ボタン、４３…キャンセルボタン、４４…動画イメージ表示画面、４５…印刷ボタン、４６…キャンセルボタン、４７…プロセス出力手段、４８…オペレーション制御手段、４９…音声入力手段、５０…音声採集装置、５１…音声データ記録情報記憶部、５２…音声データ制御手段、５３…音声再現装置、５４…記録タイミング一覧画面、５５…追加ボタン、５６…変更ボタン、５７…削除ボタン、５８…キャンセルボタン、５９…記録タイミング設定画面、６０…ポイント登録画面、６１…音声記録データ一覧画面、６２…再生ボタン、６３…音声再生画面、６４…削除ボタン、６５…キャンセルボタン、６６…音声データ解析手段
【図１】
2004199444.tif 000003
【図２】
2004199444.tif 000004
【図３】
2004199444.tif 000005
【図４】
2004199444.tif 000006
【図５】
2004199444.tif 000007
【図６】
2004199444.tif 000008
【図７】
2004199444.tif 000009
【図８】
2004199444.tif 000010
【図９】
2004199444.tif 000011
【図１０】
2004199444.tif 000012
【図１１】
2004199444.tif 000013
【図１２】
2004199444.tif 000014
【図１３】
2004199444.tif 000015
【図１４】
2004199444.tif 000016
【図１５】
2004199444.tif 000017
【図１６】
2004199444.tif 000018
【図１７】
2004199444.tif 000019
【図１８】
2004199444.tif 000020
【図１９】
2004199444.tif 000021
【図２０】
2004199444.tif 000022
【図２１】
2004199444.tif 000023
【図２２】
2004199444.tif 000024
【図２３】
2004199444.tif 000025